(57)【要約】      （修正有）【課題】テープ末端がテープ本体，その他に粘着しない巻回粘着テープの製造法の提供【解決手段】長方形のシート２面の短辺方向に間隔をあけて粘着液塗布部３３２を複数配置したシート２１を、非粘着部１２１において長辺方向に分割することにより、側端を非粘着部１２１分とした巻回粘着テープを製造する方法。【選択図】図１
2018159048.tif 000002
【特許請求の範囲】
【請求項１】
長方形シート面の短辺方向で間隔をあけて粘着液塗布部を並べることにより、そのシートを長辺方向に引き出して粘着部非粘着部交互としたシートを、非粘着部等において長辺方向に分割して、側端を非粘着部とする巻回粘着テープの製造法。
【発明の詳細な説明】
【技術分野】
【０００１】  本発明は、長方形シート面の短辺方向で粘着液コーティング機械の粘着液塗布部を間隔をあけて並べ、シートを長辺方向に引き出して粘着部非粘着部交互となったシートを以下粘非交互シートとして、その非粘着部等で長辺方向に分割、巻回して、粘着面の側端を非粘着部分と成した巻回粘着テープにおいて、塗布部をシートの片面側に配置して片面粘非交互シートを成し、またはシートの両面側に粘着部が表裏同位置となるように塗布部を配置して成した両面粘非交互シートの片面に粘着面同士の癒着を防ぐ分離紙等を重ね、分割、巻回して両面粘着テープと成すもので、以後文中説明は、双方含めて、側端を非粘着とする巻回粘着テープの製造法に関する。
なお文中、前出呼称を事後簡略化する場合がある。
【背景技術】従来のガムテープやセロファンテープその他、巻回粘着テープの製作は、原反巻き取りシートの短辺方向全幅に粘着液を塗布する粘着液コーティング機械の塗布部を配置し、そのシートを長辺方向に引き出して対象面全面に粘着液を隙間なく塗布した巻回原反粘着シートとしたものを、輪切りやスリッターの分割工程を経て巻回粘着テープに仕上げていたため、テープ全幅が粘着部となり、使用途中のテープ末端が本体テープ側に粘着すると、テープ本体の色や模様にまぎれて、目視判別し難く、指でさすっての触覚探索も平坦密着していて認識困難であり、そうして探し当てた末端は全幅がテープ本体に粘着してはがし起こし難く、その角に爪先などを差し込み、ようやくめくり起こす動作は煩雑な作業として、負担であった。
また、両面巻回粘着テープにおいては、さらに、テープ末端全幅粘着から分離紙等を剥がしていく煩雑さがあった。
巻回粘着テープ本体から切断分離されて対象物に貼付されているテープ片は対象物にその全幅が粘着しており、それを剥離する場合にも前述の煩雑な作業や刃物等による剥離処理が必要であった。
あるいは、片面状粘着テープでは剥離を想定してあらかじめテープ末端を粘着面同士が接着するよう内に折り返して、外側となった非粘着面側を剥離手がかり部としていたが、粘着貼付には寄与しない無駄な部分であり、また、その手がかり部の適度の長短設定にも留意が必要で煩雑であった。【０００３】従来、消費者側から側端を非粘着部とした巻回粘着テープ製作を提案、要求されても、粘着テープ製造業者側において、原反巻き取りシートの短辺方向全幅に粘着液を塗布する粘着液コーティング機械の塗布部の前述機能ゆえに、その製造実現に至らなかったものである。
【発明の開示】
【発明が解決しようとする課題】
【０００４】  以上、側端を非粘着部とした巻回粘着テープを製造しようとしても、粘着液コーティング機械の従来の塗布部では原反シートの短辺方向の全幅に隙間なく及んでいたため対象面全面が粘着材を塗布した原反粘着シートとなり、輪切りやスリッターの分割工程を経て巻回粘着テープに仕上げると、テープ全幅が粘着部となった。
【課題を解決するための手段】
【０００５】  本発明は、長方形シート面の短辺方向で間隔をあけて塗布部を並べ、塗布部の粘着液をシート面に塗布しながらそのシートを長辺方向に引き出せば、粘着部非粘着部交互の粘非交互シートとなり、従来の粘着液コーティング機械の塗布部がシート短辺方向全幅にわたり粘着液を隙間なく塗布するローラー型か粘着液コンテナー型であるのに対し、本考案の塗布部は、ローラー型であればローラーを大径部と小径部が同軸で交互に連続する形状により、大径部周囲面のみシート面に接して粘着部非粘着部交互に粘着液を塗布する大径部であり、ナイフコータータイプ等の粘着液コンテナー型であれば粘着液コンテナーの塗布部の幅をシート短辺方向で間隔をあけて並べられるサイズに短縮して粘着液を塗布するとした幅短縮塗布部であり、そうして、粘着液の粘度や巻回粘着テープの仕様等により、本考案塗布部のコーティング方式を選択適用するものである。
したがって残る方式の、引き出したシート部を貯留粘着液に全没させシート両全面が塗布される従来含浸コータータイプは、当考案にいう、粘非交互シートとなりえず、当考案の対象から除外される。
前記小径部は各大径部間を隔てるスペーサーの役割を果たせばよいので、必ずしも円筒状を求めない。【０００６】  そうして、その粘非交互シートを各非粘着部において長辺方向に分割、巻回すれば、粘着面の両側端を非粘着部分とした巻回粘着テープを得るし、あるいは、粘非交互シートの外側両端を同幅の非粘着部とし、内側に予定倍幅の粘着部と前記側端の倍幅の非粘着部が交互連続する部分を各中央で長辺方向に分割、巻回すれば、テープ粘着面の片側端のみ非粘着部分とした巻回粘着テープを得る。【０００７】  前記課題解決手段による作用は次のとおりである。
本考案により製造可能となった巻回粘着テープは粘着面の両側端、あるいは片側端を非粘着部分としたので、使用途中のテープ本体の切断末端部はその側端がテープ本体に粘着しない。
非粘着部に重なった両面巻回粘着テープの分離紙等の側端もテープ本体に粘着しない。【０００８】    よって、その末端部の非粘着側端を指で容易にめくり返して摘まめる。【０００９】  塗布部の幅と配置間隔を調整して望む幅の非粘着部分を得、各非粘着部分のみでの分割によりテープの左右両端の非粘着部分幅を同一とするも、一端の非粘着部分を  大幅とし、他端をわずかとするも可能である。
あるいは、前記粘着部分においても各中央で分割したものは、一側端のみを非粘着部とした巻回正逆同数の粘着テープとなり、製品用途の多様性が増すこととなる。
また、分割時等テープの片側端を目印着色してもよい。
【発明の効果】
【００１０】  以上、従来の粘着液コーティング機械のシート短辺方向全面粘着液塗布部を、間隔をあけて並べた塗布部に機能変更して、結果、粘着面の側端を非粘着部分とする巻回粘着テープ製造を可能にした。
当考案により製造可能となった本体テープ末端の側端非粘着部は本体に粘着しないので、目視判別し難い場合も、指でさすっての触覚探索により、容易にめくれ返り、つまんで容易にはがし起こせる。さらに前記目印着色は側端の目視判別に寄与する。
また、テープカッター台装着の当考案巻回粘着テープの末端が、台に具備のテープの末端部粘着保持機能から不如意に外れてテープ本体に粘着しても、容易にはがし起こせる。
手切り切断可能タイプのガムテープやセロファンテープ等の巻回粘着テープにおいては、テープ本体からその末端部の非粘着部を指先で簡単にめくり起こし、適寸引き伸ばし手切り切断できるので、カッター台に具備のテープ末端部保持機能もカッター機能も不要となり、すなわち、テープ本体のみ手軽に持ち運んで使用可能となる。
以上従来、消費者側から側端を非粘着部とした巻回粘着テープ製品を提案、要求されても、製造業者側において、粘着液コーティング機械の塗布部の構造機能ゆえに、その製造実現化に至らなかったものを、本考案の間隔をあけて並べた塗布部構造により前記考案が実現されるものとなった。【００１１】当考案により、巻回粘着テープ本体から切断分離されて対象物に貼付されたテープ片は対象物に粘着していても、非粘着部分をつまんで容易に剥離できるし、前記テープ片末端の粘着面同士を接着するように内に折り返し合わせて剥離手がかり部とする粘着貼付に寄与しない無駄な部分も不要となり、折り返し合わない余分の粘着部分を、もどし粘着させていた煩雑さと、及び、その操作中の指先に粘着部分が絡みつく不快感もなくなる巻回粘着テープ製造を可能にした。
【図面の簡単な説明】
【００１２】
【図１】本発明の実施形態を示す、塗布ローラーを大径部と小径部交互として粘非交互シート製作の大要概略図。
【図２】同、複数配置の幅短縮塗布部による粘非交互シート製作の大要概略図。
【発明を実施するための形態】
【００１３】    本発明の実施の一例の形態を図１、図２、に基づいて説明する。
【００１４】    図１は、貯留粘着液３に触れながら回転する供給ローラー４が大径部１１と小径部１２が同軸で交互に連続する塗布ローラー１の大径部１１に粘着液を移着し、大径部１１がバックアップローラー５に支えられて引き出されるシート２１に回転しながら当接して、シート２１を粘着部３１非粘着部１２１交互の粘非交互シート２に製作している。
図２は、粘着液コンテナー３３から粘着液補充パイプ３３１内を通って複数の幅短縮塗布部３３２に粘着液が補充され、バックアップローラー５に支えられて引き出されるシート２１に幅短縮塗布部３３２が各当接してシート２１を粘着部３１非粘着部１２１交互の粘非交互シート２に製作している。
【符号の説明】
【００１５】    １      塗布ローラー
２      粘非交互シート
３      貯留粘着液
４      供給ローラー
５      バックアップローラー
１１    大径部
１２    小径部
２１    シート
３１    粘着部
３３    粘着液コンテナー
１２１  非粘着部
３３１  粘着液補充パイプ
３３２  幅短縮塗布部
【図１】
2018159048.tif 000003
【図２】
2018159048.tif 000004
【手続補正書】
【提出日】平成29年4月16日(2017.4.16)
【手続補正１】
【補正対象書類名】明細書
【補正対象項目名】００１０
【補正方法】変更
【補正の内容】
【００１０】  以上、従来の粘着液コーティング機械のシート短辺方向全面粘着液塗布部を、間隔をあけて並べた塗布部に機能変更して、結果、粘着面の側端を非粘着部分とする巻回粘着テープ製造を可能にした。
当考案により製造可能となった本体テープ末端の側端非粘着部は本体に粘着しないので、目視判別し難い場合も、指でさすっての触覚探索により、容易にめくれ返り、つまんで容易にはがし起こせる。さらに前記目印着色は側端の目視判別に寄与する。
また、テープカッター台装着の当考案巻回粘着テープの末端が、台に具備のテープの末端部粘着保持機能から不如意に外れてテープ本体に粘着しても、容易にはがし起こせる。
手切り切断可能タイプのガムテープやセロファンテープ等の巻回粘着テープにおいては、テープ本体からその末端部の非粘着部を指先で簡単にめくり起こし、適寸引き伸ばし手切り切断できるので、カッター台に具備のテープ末端部保持機能もカッター機能も不要となり、すなわち、テープ本体のみ手軽に持ち運んで使用可能となる。
以上従来、消費者側から側端を非粘着部とした巻回粘着テープ製品を提案、要求されても、製造業者側において、粘着液コーティング機械の塗布部の構造機能ゆえに、その製造実現化に至らなかったものを、本考案の間隔をあけて並べた塗布部構造により実現されるものとなった。
【手続補正書】
【提出日】平成29年4月25日(2017.4.25)
【手続補正１】
【補正対象書類名】明細書
【補正対象項目名】０００７
【補正方法】変更
【補正の内容】
【０００７】  前記課題解決手段による作用は次のとおりである。
本考案により製造可能となった巻回粘着テープは粘着面の両側端、あるいは片側端を非粘着部分としたので、使用途中のテープ本体の切断末端部はその側端部分がテープ本体に粘着しない。
非粘着部に重なった両面巻回粘着テープの分離紙等の側端もテープ本体に粘着しない。